(57)【特許請求の範囲】
【請求項１】
ずらして重ねられた印刷物の流れを形成するファン装置から印刷物を排出する装置であって、ファン（２）の駆動軸（３）を中心として案内されている少なくとも１個の輪鎖（１）を有し、この輪鎖（１）の個々の鎖リンク（２０）が互いに等間隔に連結されている形式のものにおいて、ファン装置が互いに間隔をおいた数個のファン（２）を有しており、また、突出部を有する鎖リンク（２０）から成る少なくとも１つの輪鎖（１）が前記ファン（２）の間に配置され、更に、鎖リンク（２０）の突出部がファンポケット（３０）内の印刷物（４，４．１，４．２，４．３，４．４，４．５）の前縁に接触し、案内し、更にまた、鎖リンク（２０）が、ファン（２）と輪鎖（１）とが一緒に運動する間に、ファン（２）のポケット（３０）内の製品（４）の位置を連続的に変化させるようになっており、ファン（２）と、輪鎖（１）の少なくとも１つの第１鎖車（６）とが、駆動軸（３）に対して調節可能な軸方向スリーブ（１９）上に取付けられており、輪鎖（１）の第１鎖車（６）の位相位置がファン（２）の位置に対して調節可能であり、ファン（２）が２つごとに調節手段（７）を介して第１鎖車（６）と結合されていることを特徴とする、ファン装置から印刷物を排出する装置。
【請求項２】
鎖リンク（２０）の突出部が丸くされたコーナ（Ｃ）を有することを特徴とする、請求項１記載の装置。
【請求項３】
輪鎖（１）の第２鎖車（２３）は搬送ベルト（５）の表面に対して調節可能であることを特徴とする、請求項１記載の装置。
【請求項４】
輪鎖（１）の第２鎖車（２３）を支承する部材（９，１０，１２，１３）が支承アーム（２４）の穴（１１）内を滑動可能であることを特徴とする、請求項３記載の装置。
【請求項５】
ファン（２）のポケットの内側輪郭（１５）が互いに平行に延びることを特徴とする、請求項１記載の装置。
【請求項６】
ホッパ状入口が、ファン（２）の外周区域に、それもファンブレード（２．２）の内側輪郭（１５）と先行ファンブレード（２．１）の外側輪郭（１７）との間に形成されることを特徴とする、請求項１記載の装置。
【請求項７】
搬送ベルト（５）の回転速度が、輪鎖(１)の鎖リンク（２０）の突出部の回転速度を上回ることを特徴とする、請求項１記載の装置。
【請求項８】
輪鎖（１）の個別鎖リンク（２０）が、解離可能の連結手段（２１，２２）を介して相互結合されていることを特徴とする、請求項１記載の装置。
【発明の詳細な説明】
【０００１】
【産業上の利用分野】
本発明は、ファンから印刷物を排出し、ずらして重ねられた（Ｓｈｉｎｇｌｅｄ）印刷物流を形成する装置、それもファン駆動軸の周囲を案内される少なくとも１つの輪鎖を有しており、この輪鎖の個別リンクが互い等間隔に位置している形式のものに関している。
【０００２】
【従来の技術】
ヨーロッパ特許ＥＰ  ０  ０５９  ８７３  Ｂ１により、折り装置のファンから印刷物を排出する装置が公知である。この装置は、軸上に並べて配置された数個のファンを有している。これらのファンそれぞれの次のディスクが備えられ、このディスクが、ファン軸に対し偏心配置されている。このディスクは、所定変速比を有する内歯を介して駆動可能なストップホイールを保持している。このストップホイールは、ファンより低速の周速度で回転するので、印刷物は、前進しながら、ファンのポケット内へ入り込み、減速された後でポケット底部に到達する。このためファンポケット長さは、印刷物固有の運動エネルギーの低減に完全には利用できない。  ストップホイールと各関連ファンとの間の所定変速比は固定的であるため、減速特性を変えることは、ほとんど不可能である。加えて、歯車構造体の製造費の高い点が欠点である。
【０００３】
ＥＰ  ００５９  ８７３に開示されている第２実施例の場合、ストップホイールにグリッパが配置され、これらグリッパにより印刷物の前縁が、しっかりと掴まれる。グリッパは、定置カム上を走行するローラを介して動かされるローラレバーにより制御される。この構成は、不相応に高額の設備投資を必要とする。
【０００４】
また、ＥＰ  ０１６４  ４４０には、高速で新聞を受取る回転子排紙装置が開示されている。排紙装置の中心ハブには、アーチ形の数個の排紙フィンガが配置され、これらのフィンガが互いの間にそれぞれ個別のポケットを形成し、排出される新聞がこれらポケット内に入る。２つおきの排紙フィンガによって形成されるポケット底部近くに、ばねにより予圧を与えられたクランプバーが配置されている。これらのクランプバーは、ポケットに入る新聞の後部によって押し返えされる。クランプバーは、ばねにより予圧を与えられているので、新聞の後部はクランプバーと隣接排紙フィンガとの間にクランプされる。複数の重ねから成る新聞の場合、インキ吸収性は紙の有孔度に影響される。特にグラビア印刷の場合はそうである。したがって、１色刷の場合が多い新聞印刷の場合は比較的汚れが著しい。
【０００５】
しかし、オフセット印刷の場合は、印刷材料の両面に多層にインキが塗膜され、これらのインキ塗膜の最上層は、乾燥機を通過した後にも、完全に乾燥していないこともある。これらの印刷物の画像は、その場合、従来技術では、クランプバーによる汚れが生じがちである。したがって、クランプバーにより印刷物に加えられる機械ひずみは、好ましいものではなく、オフセット印刷で印刷される印刷物の排出に用いるには、問題がある。
【０００６】
更に、ＥＰ  ０  ３０７  ８８９（Ｂ１）にも、折り装置から印刷物を排出する装置が開示されている。この場合、少なくとも１個のカムセグメントが、ファン駆動軸周囲にチェーンを巻掛けることができるような形式で配置されている。チェーン上には、互いに等間隔に各アングル部材とクランプ部材が配置され、これら部材をファンブレードと作業接触させることができる。この構想によると、ファンポケットに入る印刷物は、まずアングル部材に掴まれてチェーンに固定され、整列せしめられ、次いで、上方からクランプ部材が印刷物に作用して、ファンブレード上に印刷物を押付ける。したがって、印刷物はファンポケットから出るべく運動する間、ファンブレード上に押付けられた状態にされる。このため、印刷物の下側が、ファンブレード内側にテフロン被覆がなされているにも拘らず、汚れたり引っかき傷ができたりすることがある。
【０００７】
【発明が解決しようとする課題】
以上述べた従来技術の欠点を考慮した上で、本発明が目的とするところは、等間隔にずらして重ねられた製品の連続的な流れの形式で排出される印刷物の排出装置であって、印刷物の材料に対して穏かに作用し、かつ、可動排紙部品の運動エネルギーを利用する形式の装置を提供することである。
【０００８】
【課題を解決するための手段】
この目的は、本発明によれば次のようにすることにより達成された。すなわち、
ファン装置が、間隔をおいた数個のファンを有するようにし、
突出部を有する鎖リンクを備えた少なくとも１つの輪鎖がファンとファンとの間に配置されるようにし、
鎖リンクの突出部が、ファンポケット内で印刷物の前縁を接触案内し、
鎖リンクが、ファンと輪鎖とが一緒に運動する間、ファンポケット内の印刷物の位置を連続的に変化させるようにしたのである。
【０００９】
本発明によるこの解決策の利点は、ポケット内の印刷物が押さえ付けられることがなく、個々のファンポケットから送出されるさいに受ける力は自重のみで、摩擦を生じさせるような、支持部に印刷物を押付ける力が加わることはない。更に、ポケットに受容された印刷物が鎖リンクの突出部と接触する部分は、印刷物の折り目の背の部分、すなわち最もしっかりした部分だけである。各印刷物の前縁は各鎖リンクの突出部に支えられるので、曲げ又は破れ等の前縁の損傷は生じない。
【００１０】
ファン下方に配置された搬送ベルト上に印刷物を円滑に排出するため、鎖リンクの突出部は、たとえば円形又はインボリュート状に丸みをおびた外形を有している。個々のファンと、輪鎖の少なくとも第１の鎖車とは、駆動軸に対して調節可能の軸方向スリーブに受容されている。駆動軸上で回転可能の軸方向スリーブにより、個々のファンポケット内への印刷物の進入域を入口区域Ｂに関し調節できる。これにより、輪鎖の位置を同時に調節できる。この構成により、ファンと各第１鎖車との間の位相関係を、セッティング手段が解かれた後に、変更することができる。
【００１１】
更に、輪鎖の第２鎖車を、搬送ベルト面に対し調節可能である。これを達成するため、第２鎖車を受容しているユニットが、支承アームの穴内に配置可能にされている。ファンポケットの各内縁は互いに平行に延びている。ファン外周区域開いているホッパ状入口は、それぞれファンブレードの内方リムと外側輪郭とにより形成されている。入口をホッパ状にすることにより、製入がファンポケットに入り易くなる。
【００１２】
排出される印刷物が載せられる搬送ベルトの回転速度は、突出部を有する鎖リンクを備えた輪鎖の回転速度を上回る速度である。こうすることにより、個々の印刷物の前縁は、鎖リンク突出部が出口区域Ａを通過するまで、突出部に当付けられる状態が保たれる。この突出部が丸く形成されていることにより、印刷物前縁は円滑に外れることができる。この出口区域で、印刷物は既に互いに重ねられており、この重ね間隔を変更することは、実際には不可能である。搬送ベルト上の印刷物の案内は、出来るだけ長く続けられる。
【００１３】
本発明による装置の別の有利な特徴は、個々の鎖リンクが、解離可能の連結部材、たとえばスナップロックによって互いに連結されている点にある。このように連結することにより、輪鎖の延長又は短縮が可能である。また、輪鎖の傾斜角度の変更も可能である。
【００１４】
【実施例】
以下で本発明の既述の特徴及びその他の特徴を添付図面につき説明する。
【００１５】
図１には、ファンと、その下に配置された搬送ベルトとが示されている。ファン２上方には入口区域Ｂが、また、ファン２の下方、搬送ベルト５の上方には出口区域Ａが、それぞれ設けられている。ファン２は駆動軸３により駆動され、輪鎖１の第１鎖車６は駆動軸３に取付けられている。輪鎖１は、互いに関節により連結された鎖リンク２０により形成されている。鎖リンク２０のそれぞれは、丸くされた案内面８を有する突出部を備えている（図３及び図４）。輪鎖１は、また、レバー１０に保持された軸１２に取付けられている第２鎖車２３に巻掛けられ、回転する。レバー１０に取付けられた軸１３は、支承アーム２４の縦穴１１内を水平方向に可動である。安全ディスク１４を弛めた後、穴１１内の軸１３は、輪鎖１の長さに応じてスライド可能である。
【００１６】
穴１１は、軸２７が貫通している支承腕２４の下部に設けられている。この軸２７には、別の支承アームが組付けられている（図１には示されていない）。軸２７は、調節フランジ２８を介し折り装置の側壁２９に保持されている。
【００１７】
ファン２には、ファンブレード２．１，２．２により形成されたポケット３０が設けられている。ファンブレード２．１の内側輪郭１５と、ファンブレード２．２の外側輪郭１７とにより、ホッパ状の入口が形成されている。このホッパ形状により、印刷物４が個々のポケット５０内への送入が容易になる。ポケット３０の形状は、内側と外側との輪郭１５，１７により形成されるが、印刷物がゆっくりとポケット底部１６に当たる効果を有している。矢印方向にファンが回転することにより、各印刷物４の前縁は鎖リンク２０の突出部に向って上方から移動する。そのようにして、前縁が捕捉され、支持される。各ファン２が更に回転するにつれて、輪鎖１の下方への運動により印刷物４．１がファンポケット３０から送出され始める。印刷物４．２，４．３は既に、かなり送出されており、印刷物４．４は、丁度、ファン２を出るところであり、既に搬送ベルト５上に載っている印刷物４．５に重ねられている。搬送ベルト５の回転速度は、鎖リンク２０の回転速度より幾分大であるから、印刷物４．５は、案内面８を形成する鎖リンク２０の突出部に当付けられ続ける。印刷物４．５は、印刷物４．４の大部分が重ねられるまで、案内面８に当付けられている。次いで、印刷物４．５を案内する鎖リンク２０の突出部が出口区域Ａを出て、製品４．５の前縁が離れる。
【００１８】
このように、排出される印刷物４が突出部から離れるのは、続く印刷物の大部分が重ねられた後である。したがって、重ね間隔はそれ以後は変ることがなく、この結果、ずらして極めて正確に重ねられた印刷物流が得られる。
【００１９】
各第２鎖車の調節により、輪鎖１の鎖リンク突出部を搬送ベルト上側と接触させることができる。各安全ディスク１４（図２）を弛めた後、支承アーム２４の穴１１内で軸１３を水平方向に移動させる。これにより、第２鎖車２３を支承する軸１２が取付けられているレバー１０が傾斜位置をとる。それによって、一方では、輪鎖１の再緊締ができ、他方では、鎖リンク突出部が出口区域Ａに留まる時間を延長することができる。こうして、印刷物、たとえば薄い材料から成る製品や少なくいページ数の印刷物の排出条件は著しく改善される。
【００２０】
図２は、本発明の装置の平面図である。駆動軸３が折り装置の側壁２９内に軸受けされている。側壁２９には、また、軸２７の一端を支える調節フランジ２８も保持されている。支承アーム２４は、軸２７上の支承部２６に保持され、他端が軸方向スリーブ１９上のころ軸受に支承されている。スリーブ１９は駆動軸３上に回転可能に取付けられている。スリーブ１９を回転させるには、ディスク１８のところのねじを弛めねばならない。次いで、第１鎖車６を有するファン２を回転させることにより、たとえば入口区域Ｂでのポケット３０内への印刷物４の進入角度に影響を与えることができる（図１）。
【００２１】
各第１鎖車６は、２つのファン２と結合され、輪鎖１が鎖車６の周囲を回転する。ねじ７はファン２と各第１鎖車６とを貫通して延びている。ねじ７を弛めた後、各第１鎖車６とファン２の位置との位相関係を調節できる。
【００２２】
更に、２つの印刷物案内２５が、スリーブ１９の周面に取付けられている。第２鎖車２３は、短軸１２上のころ軸受９に支承されている。短軸１２は、レバー１０を介して、穴１１内を水平方向にスライド可能な軸１３と結合されている。第２鎖車２３を変位させるには、安全ディスク１４を弛め、変位させたのち、再びロックするだけでよい。
【００２３】
図３には、連結された鎖リンクの斜視図が示され、突出部の丸くされた輪郭Ｃが示されている。各鎖リンク２０の案内面８の丸くされた輪郭により、印刷物４の離間が容易にされる。各鎖リンク２０には凹所２２が設けられ、この凹所２２には止めピン２１が押込まれ、個々の鎖リンクを互いに連結している。凹所２２がスナップロックとして構成されている場合（図示の場合）、輪鎖１は、必要に応じて延長又は短縮が可能である。それにより、ポケット３０内に受容された印刷物４に対し鎖リンク２０の突出部のスロープ角度を変更することができる。延長又は短縮された輪鎖１の精密調節は、この変位可能のユニット（レバー１０、軸１２、軸１３）により可能である。このユニットは第２鎖車２３を支承している。
【００２４】
個別の鎖リンク２０は、簡単かつ廉価に製造可能である。止めピン２１により形成されるスナップロックと凹所２２とにより、輪鎖１は容易に組立てや組外しが可能である。
【図面の簡単な説明】
【図１】ファンと、その下方の搬送ベルトとの側面図。
【図２】ファンの間に配置された輪鎖の平面図。
【図３】相互に連結された鎖リンクの後方斜視図。
【符号の説明】
１    輪鎖
２    ファン
２．１，２．２    ファンブレード
３    駆動軸
４    印刷物
４．１〜４．５    印刷物
５    搬送ベルト
６    第１鎖車
７    ねじ
８    案内面
９    ころ軸受
１０    レバー
１１    縦穴
１２    短軸
１３    軸
１４    安全ディスク
１５    ファンブレードの内側輪郭
１６    ポケット底部
１７    ファンブレードの外側輪郭
１８    ディスク
１９    軸方向スリーブ
２０    鎖リンク
２１    止めピン
２２    凹所
２３    第２鎖車
２４    支承アーム
２５    製品案内
２６    支承部
２７    軸
２８    調節フランジ
２９    折り装置の側壁
３０    ファンブレード間のポケット
Ａ    入口区域
Ｂ    出口区域
Ｃ    丸くされた輪郭
【図１】
0003553191.tif 000002
【図２】
0003553191.tif 000003
【図３】
0003553191.tif 000004